(57)【要約】  紫外線（ＵＶ）光（１０２，２０２）を導入して靴の内側の環境を変え、微生物を破壊し、或いはその成長を阻害する。可視光線を用いて更なる成長を防止することもできる。好適な実施態様は、ＵＶ殺菌光源（２０２）と、靴の外側への大量のＵＶ漏れを防止する電子安全装置（２８４，３７０）とを備えた調整式シューツリー（２００）を備える。
2009529984.tif 000002
【特許請求の範囲】
【請求項１】
履物を履くように足が挿入される開口を有した人間の履物を滅菌する装置で、該履物の内側領域に存在する微生物の成長を阻害し、或いは微生物を破壊することにより履物を滅菌する波長範囲の放射線を放射する光源と、
前記放射線を前記履物の内側領域に向ける位置に設定するようにした前記光源用の支持体と、
滅菌中に前記放射線が前記履物の近くに位置する個体を害することを防止する光遮断器と
を備えることを特徴とする履物滅菌装置。
【請求項２】
前記人間の履物が靴を含む請求項１に記載の装置。
【請求項３】
前部と踵部とを動作可能に接続する伸縮自在スパインを含むシューツリーを更に備え、
該前部が前記履物の前記開口に適合するような大きさであり、且つ前記光源と、当該光源用の支持体と、前記放射線を前記内側領域の微生物上に入射伝播し得る隙間とを含む請求項１に記載の装置。
【請求項４】
前記伸縮自在スパインが伸張範囲を有し、また
前記踵部が前記伸縮自在スパインの前記伸張範囲を変更するために使用者がつかむのに適したハンドルを含む請求項３に記載の装置。
【請求項５】
前記光遮断器と協働して過剰量の前記放射線が前記履物から漏れ出すことを阻止する光センサーを更に備える請求項１に記載の装置。
【請求項６】
前記光源用の電源と、
前記電源と動作可能に結合して、過剰量の放射線の前記履物からの漏出の予知に基づき前記光源への電力の供給を遮断する安全スイッチと
を更に備える請求項１に記載の装置。
【請求項７】
前記光遮断器が前記履物の前記開口を覆い隠すキャップを含み、また
前記支持体が前記光源を位置付け、前記放射線を前記履物の内側領域に向ける請求項１に記載の装置。
【請求項８】
前記光遮断器が前記履物の周囲に適合する外部格納装置を含み、また
該格納装置が前記放射線を前記履物の内側領域に向けるように前記光源を格納装置に位置付けるための前記支持体を含む請求項１に記載の装置。
【請求項９】
前記履物が外面を有し、また
前記格納装置が前記履物の外面の少なくとも大部分を覆うに適合したシャワーキャップの形をしている請求項８に記載の装置。
【請求項１０】
前記履物が外面を有し、また
前記格納装置が前記履物の外面の少なくとも大部分を覆うに適合したバッグの形をしている請求項８に記載の装置。
【請求項１１】
前記光源が紫外線（ＵＶ）光を放出する請求項１に記載の装置。
【請求項１２】
前記光源が電球を含む請求項１１に記載の装置。
【請求項１３】
前記光源が可視光を放出する請求項１に記載の装置。
【請求項１４】
前記光源が発光ダイオード（ＬＥＤ）を含む請求項１に記載の装置。
【請求項１５】
履物を履くように足が挿入される開口を有した人間の履物を滅菌する装置で、該履物の内側領域に存在する微生物の成長を阻害することにより当該履物を滅菌する可視波長範囲の放射線を放射する光源と、
前記放射線を前記履物の内側領域に向けて滅菌する位置に設定するようにした前記光源用の支持体と
を備えることを特徴とする履物滅菌装置。
【請求項１６】
前記人間の履物が靴を含む請求項１５に記載の装置。
【請求項１７】
前部と踵部とを動作可能に接続する伸縮自在スパインを含むシューツリーを更に備え、該前部が前記履物の前記開口に適合するような大きさであり、且つ前記光源と、当該光源用の支持体と、前記放射線を前記内側領域の微生物上に入射伝播し得る隙間とを含む
請求項１５に記載の装置。
【請求項１８】
前記シューツリーが香り付き材料を含む請求項１７に記載の装置。
【発明の詳細な説明】
【技術分野】
【０００１】
［関連出願］
本出願は、米国仮特許出願第６０／７８１，２７６号（２００６年３月１３日出願）および第６０／８８１，５５２号（２００７年１月２２日出願）の利益をそれぞれ主張する。
【０００２】
［著作権表示］
（ｃ）２００７年  Shoe Care Innovations, Inc.
本特許出願書類の開示の一部は、著作権による保護を受ける要素を含む。著作権者は、任意の人物による、特許庁の特許ファイル若しくは記録中に現れたとおりの特許出願書類または特許公開公報の複製に異存は無いが、しかし、その他の点では、何であれ全ての著作権を留保する。
【０００３】
本開示は、人間の履物における殺菌剤としての光の使用に関する。
【背景技術】
【０００４】
暖かく、湿った、暗い環境は、感染性の生物学的微生物の成長に好都合な状態を提供し、バクテリア、ウイルス、糸状菌およびそれらに関連した臭気の増加を許す。例えば、靴の中での足の発汗は暖かさ及び湿気を助長する一方、暗いクローゼットに保管したクローズドシューズ（つま先の閉じた靴）が、病原菌レベルを制御するに十分なＵＶ光成分を含む広いスペクトルの周辺光が入ることを許容し得ない。収納した靴で維持された有害な微生物の過剰レベルが、様々な足の疾患を引き起こすか、又は促進する場合がある。
【０００５】
或る波長、強度および継続時間の紫外線（ＵＶ）光への暴露が、表面病原菌の成長を破壊又は阻害することは周知である。例えば、ＵＶＣ線を放出する殺菌灯を用いて、有機含有量を低減する目的で廃水を処理する。米国特許第４，９８１，６５１号および第５，９７８，９９６号は、殺菌のためのＵＶ光の使用を開示しているが、全てのＵＶ光波長で殺菌力があるわけではない。ＵＶスペクトルは、１０ｎｍ〜４００ｎｍの波長に及ぶ。３２０ｎｍ〜４００ｎｍの波長帯をＵＶＡと、２８０ｎｍ〜３２０ｎｍをＵＶＢと、１８５ｎｍ〜２８０ｎｍをＵＶＣと表記する。微生物を破壊するタイプの殺菌性のＵＶ光は、２４０ｎｍ〜２８０ｎｍの波長帯に限定され、ここで最大の殺菌効果が２５４ｎｍの波長と一致する。近紫外線成分を含むＵＶＡおよび可視光線は、病原菌の成長を阻害することは知られているが、破壊することは知られていない。
【発明の開示】
【発明が解決しようとする課題】
【０００６】
短波長、高エネルギー放射線の形態のＵＶ光を利用するに当たっての一つの懸念は、ＵＶ光がヒト組織への損傷を生起し得ることである。目は、ＵＶ光の直接入射に曝された場合に特に損傷し易い。従って、ＵＶ光を含む高エネルギー線のあらゆる適用は、不要な暴露から保護しなければならない。
【課題を解決するための手段】
【０００７】
本開示は、靴の内側の環境を変えて微生物を破壊するか、又はその成長を阻害するための光の導入に関するものである。一実施態様において、殺菌性のＵＶ光の発射が、適当なＵＶ波長に調整した一組の発光ダイオード（ＬＥＤ）を靴のつま先に挿入する中空のシューツリーの内側に取付けることにより達成される。殺菌力のある範囲の光を放出するＵＶＬＥＤを用いて靴の中に存在する微生物を破壊することができる。第二の実施態様においては、ＵＶＬＥＤの代わりに、代替光源としてＵＶ殺菌電球を使用する。第三の実施態様においては、殺菌ＵＶ光源より安価且つ入手が容易な可視光ＬＥＤまたは可視光電球を使用する。その理由は、微生物を実際に殺すのと対照的に、可視スペクトルの範囲内の光が微生物の更なる成長を阻害または抑制するからである。第四の実施態様は、商業的利用に適し、シューツリーの支持なしに靴の内側に挿入した電球から生じるＵＶ光を封じ込める筐体に頼る。
【０００８】
シューツリーの実施態様、或いはそれに関連した付属品は、ＵＶ光暴露を興味ある領域内に封じ込めるための安全装置と共に提供される。ＵＶ光を靴の内側で封じ込める一つの方法は、不透明または半透明のバリアをＵＶ光の伝播経路と靴の開口部との間に設置することを必要とする。かかるバリアの好適な実施態様は、シューツリーのスパインまたは踵の周囲に設置したシールである。或いはまた、シューツリーの前部は光制流子を内蔵しても良く、或いはキャップを靴の開口上に設置しても良い。
【０００９】
不要なＵＶ暴露を防止する他の方法は、周辺光の閾値レベルを検出しない場合に限りＵＶ光源を活性化することを必要とする。靴の内側で検出した周辺光は、ＵＶ光を逃し得る光の漏れ口を指し示す。かかる光の漏れ口は、靴へのＵＶ光源の不適切な挿入の結果であり得る。フォトダイオードまたはフォトトランジスタのような光センサーにより周辺光の閾値レベルを検出した場合にＵＶ電源を切ると、不要なＵＶ暴露を防止する。
【００１０】
不要なＵＶ暴露を防止する前記方法に対する変形例は、ＵＶ光源を適切に靴に挿入した場合を除いてＵＶ光源の動作を防止する電子安全スイッチの実装を必要とする。正しく設置された場合、ＵＶ光源は電子回路を閉じて、使用者が光源を稼働し得る動作状態に安全スイッチの作動を生ずる。
【００１１】
ＵＶ光への不要な暴露から使用者を保護する更なる方法は、容器中に靴を収納する必要がある。容器は、靴の内側から放出するＵＶ光の少なくとも一部を吸収する半透明、不透明または透明な材料からなる。容器が半透明または不透明ならば、容器の使用を前述の光センサーと組み合わせて靴の内側での周辺光の強度を低減しても良い。これは、不要なＵＶ暴露のリスクを低減しつつ、サンダルまたはつま先の開いた靴を殺菌ＵＶ光で処理する好適な方法である。
【００１２】
追加の態様および利点が、添付図面を参照して進展する以下の好適な実施態様の詳細な説明から明らかになる。
【発明を実施するための最良の形態】
【００１３】
図１は、第一実施態様として、ＬＥＤ１０２の半円線形アレイを収容できるように構成したシューツリー１００を示し、好適な実施態様ではシューツリー１００を挿入する靴のつま先に殺菌性のＵＶ光またはＵＶ成分を含む白色光を放射する。殺菌力のある範囲の光を放射し、且つＬＥＤアレイ１０２での使用に適したＵＶＬＥＤは、Roithner Laser Technik社（オーストリア、ウィーン）から市販されている型番ＵＶＴＯＰ２５５−ＢＬ−ＴＯ３９である。容易に入手し得る可視光（青または白色）ＬＥＤを用いて、靴の中での微生物の更なる成長を阻害または抑制することができる。シューツリー１００は、伸縮自在の一体形円筒スパイン１０６で踵部１０８に接続した中空の前部１０４を含む。
【００１４】
前部１０４は、内向きで相隔たる複数の構造タブ１１２を支持する内面１１０を有し、且つ前部１０４の長さに対して横断する方向に相隔たる、略長方形の複数の細長い溝１１４を有する湾曲した半殻構造である。ＬＥＤアレイ１０２により放出された光線は、細長い溝１１４を介して伝播し、シューツリー１００を設置した靴の上側の内部裏地（図示せず）に直接ぶつかる。シューツリー１００の前部１０４が中空なので、靴の内側の中敷がＬＥＤアレイ１０２により照射される。壁１２０は、前部１０４の後端を規定し、且つＬＥＤアレイ１０２を搭載する内面１２２を有する。ＬＥＤアレイ１０２から放出された光は、主に前方に伝播して靴のトゥーボックスへと向かう。壁１２０の半楕円形の切り欠き１２２は、シューツリー１００の全長を調整して特定の靴に適合させる必要に応じて、踵部１０８の内部を出入りする円筒スパイン１０６を靴のトゥーボックス内へと延在させるか、或いは靴の中央に縮むことを可能にする。シューツリー１００の踵部１０８は、従来のシューツリーで見られるデザインからなる。踵部１０８は、丸みを帯びた下面１２６を有する中実の変形矩形ブロックの形をしており、その中実ブロックの深さ１２８が前部から後部へと次第に厚くなって靴の踵に良好に一致する。踵部１０８の底部に二度印を付けて、その表面を縦に３分割しても良い。
【００１５】
図２Ａ、２Ｂ、３Ａ〜３Ｇおよび４〜７は、第二実施態様として、シューツリー１００に用いたＬＥＤアレイ１０２の代わりにＵＶ殺菌電球２０２を取付けた滅菌シューツリー２００を示す。シューツリー２００は、バネ仕掛けの伸縮自在スパイン２０６で踵部２０８に接続した中空の前部２０４を含む。ＵＶ安全機能を可能にする電子部品は、踵部２０８、スパイン２０６および中空の前部２０４を通じて隠されているので、シューツリー２００の外部から視認できない。踵部２０８は、長さ調整を容易にする閉環形状のハンドル２１０で終わり、バネ仕掛けの伸縮自在スパイン２０６が踵部２０８への出入りの直線運動を可能にし、そして中空の前部２０４が不均一なサイズおよび形状の大きな開口または窓を特徴とし、これを介して光が靴の内側へと伝播できる。電源コード２１２は、踵部２０８の後部から延在し、後述するようにＵＶ殺菌電球２０２へ供給する電力をもたらす。ハンドル２１０の頂部は、ＵＶ電球をその安全点検と共に稼働させる電源オンボタン２１４を含む。シューツリー２００の製造は、香気を液体、固体またはジェルに含浸させることにより、材料に香りづけすることができる。例えば、シューツリー２００を、Rotuba社（ニュージャージー、リンデン）製のＡＵＲＡＣＥＬＬ製品の製造に用いるような香りポリマーで構成することができる。
【００１６】
図３Ａを特に参照するに、前部２０４が左側骨格部分２１８と右側骨格部分２２０とを含む２つの骨格部分により形成されている。骨格部分２１８は、前方から後方にかけて略三角形状の窓２２２と、概略平行四辺形状の窓２２４とを有する。骨格部分２２０は、前方から後方にかけて概略平行四辺形状の窓２３０、２３２および２３４を有する。
【００１７】
図３Ａは、シューツリー２００の中空の前部２０４の非対称なデザインを示す。窓２２４および２３４は、骨格部分２１８と２２０とを一体に組み合わせた場合にその継ぎ目に沿って走る中央長手方向軸２３８に関して対称である。中央長手方向軸２３８は、シューツリー２００の甲を真っ直ぐに伸び、つま先部分で約６０°の角度で斜めに曲がり、第一の窓の開口部２２２および２３０を不規則な形にする。一組の靴滅菌装置は左側および右側シューツリーを含有し、左側シューツリーは、図３Ａに示す右側シューツリー２００の鏡像で構成されている。
【００１８】
図４を特に参照するに、骨格部分２１８は床部分２４４を有し、これからタブ部材２４６が伸び、骨格部分２２０の床部分２５０から伸びるタブ部材２４８と接する（図３Ｇ参照）。タブ部材２４６および２４８は、骨格部分２１８と２２０を中空の前部２０４の底部で一体に組み合わせた時に平滑表面領域を形成する。骨格部分２１８および２２０は、分割電球支持体２５４を収容し且つ支持する大きさの取付け台２５２を、それぞれの床部分２２４および２５０上に支持する。分割電球支持体２５４は、結合可能な半部品２５６の組立体であり、そこからＴ字状の突起２５８が伸びる。Ｔ字状突起２５８のベース部２６０は、対応する取付け台２５２に形成された相補形状の溝２６２と結合し、骨格部分２１８および２２０を一体に組み合わせた時に所定の位置に分割電球支持体２５４を保持する。電球支持体２５４の半部品２５６のベース部２６０から上方へと伸びるタブ２６４は、可動骨格部分２１８および２２０の横方向の動きをその関連した溝２６６内に制限することにより中空の前部２０４の幅調整を提供し、その一例を図２Ｂおよび４に示す。
【００１９】
分割電球支持体２５４は、殺菌電球２０２のネジ切り基部２８０と、電子周辺光センサー２８４を搭載した小型電子回路基板２８２用の支持体とを収容するネジ込みソケットを形成する。適当なＵＶ殺菌電球２０２は、Ushio Inc社（カリフォルニア、サイプレス）から市販されている型番ＧＴＬ３である。シューツリー２００で使用するのに適した周辺光センサー２８４は、Microsemi社（カリフォルニア、アーバイン）から市販されている型番ＬＸ１９７２ＩＢＣ−ＴＲである。回路基板２８２の前部に取付けた一組の板バネ２８６が、ＵＶ殺菌電球２０２の正極および負極端子との接触を確実にする。周辺光センサー２８４の出力信号は、シューツリー２００の滅菌操作の初期起動を制御し、それにより滅菌操作の瞬間部に対し活性である。出力信号は、ケーブル２８８を通じて踵部２０８へと送られる。
【００２０】
図４および５を特に参照するに、踵部２０８は、ネジ３０２で一体に保持される結合可能な半殻部分３００の組立体である。各半殻部分３００は、ハンドル２１０の底部下の適切な位置でその長さに沿って電子回路基板３０６を支持する内部取付けタブ３０４を有する。回路基板３０６は、電源コード２１２用の電源の形の接続点３０８と、ケーブル２８８用の接続点３１０とを備える。回路基板３０６は、シューツリー２００の中で実施される操作および安全機能を制御するマイクロコントローラ３１２を担持する。マイクロコントローラ３１２は、ケーブル２８８を介してＵＶ殺菌電球２０２への電力の供給および周辺光センサー２８４の出力信号の処理を制御する。バネ仕掛けの調整可能なスパイン２０６は、その前端に中空の前部２０４で終端する骨格部分スプレッドプレート３２０を、その後端に踵部２０８で終端するロングコイルバネ３２２を備える。
【００２１】
図４は、スプレッドプレート３２０の端部にあるＵ字形金具３２６およびバネ支持体３２８を示す。スプレッドプレート３２０は、分割電球支持体２５４の半部品２５６が静止する支持表面３３０を有する。スプレッドプレート３２０の直立端部タブ３３２は、スパイン２０６が長さの変化を受けると、分割電球支持体２５４の前方への動きを制限することにより、該支持体を適当な位置に保持する。スプレッドプレート３２０の２つのガイド溝３３４は、前部２０４のつま先端部に向かって前方向に集束する。段付きガイドピン３３６がスプレッドプレート３２０のガイド溝３３４と、骨格部分２１８および２２０の取付け台２５２の穴３３８とを貫通して、スプレッドプレート３２０を骨格部分２１８および２２０に固定し、スパイン２０６の短縮に応じてそれらを別々に広げる。スプレッドプレート３２０を前部２０４に位置させるので、ＵＶ殺菌電球２０２をシューツリー２００が挿入された靴の後端から５ｃｍの固定距離で設置する。かかる電球配置の理由は、滅菌剤としてのＵＶエネルギーの強度、ひいては有効性が光源から距離が離れると共に低減するからである。２つの結合可能なＵ字形レールからなるバネ支持体３２８は、その内部にコイルバネ３２２の端部３４６を含有および固定する。バネ支持体３２８をピン３５０によりスプレッドプレート３２０のＵ字形金具３２６に固定する。
【００２２】
図５は、踵部２０８の前方端における管状ハウジング部分３５２を貫通するコイルバネ３２２と、踵部２０８の後端の止め金３５６に支えられているコイルバネ３２２の端３５４とを示す。コイルバネ３２２は、僅かに一部が圧縮された状態でスパイン２０６に保持される。スパイン２０６が長さ変化を受けると、張力緩和クランプ３５８がケーブル２８８を踵部２０８のハウジング部分３５２上の適当な位置に保持する。前部２０４と踵部２０８との間に位置した連結式のゴムスリーブ３６０がバネ支持体３２８にフィットし、バネ支持体３２８を視界から隠す。
【００２３】
図５および６は、相隔たる赤外線（ＩＲ）送信機／検出器の対を含有するフォトインタラプタ３７０を示す。Ｕ字形レール３４４の後端に取付けたフィン３７２は、コイルバネ３２２が僅かに一部が圧縮された状態にある場合に、送信機から放出されたＩＲ光が受信機へ届くのを妨害する。シューツリー２００を靴内に置くと、バネ３２２の圧縮が生じてフィン３７２を後方に移動し、これによりＩＲ光が検出器に届くことを可能にする。フォトインタラプタ３７０からの出力信号が、回路基板３０６上のマイクロコントローラ３１２に送られ、ケーブル２８８を介したＵＶ殺菌電球２０２への電力の印加を可能にする。適当なフォトインタラプタ３７０は、Sharp Electronics社（イリノイ、ロメオビル）から市販されている部品番号ＧＰ１Ｓ０９２ＨＣＰＩＦである。
【００２４】
図７および８は、ＵＶ殺菌電球２０２を固定する分割電球支持体２５４に差し込むケーブル２８８の前端を示す。中空の前部２０４用の構造支柱として働く３つの平行なリブ３７４が、骨格部分２２０の上部内面から下方に延在する。図７は、分割電球支持体２５４の外面上に位置したリブ３７４を、スパイン２０６を覆うゴムスリーブ３６０の両側に位置して光が靴のつま先から漏れ出すのを阻止する２つの垂直バルクヘッド３７６（図３Ｇ）と共に示す。図８を参照するに、骨格部分２１８および２２０のそれぞれに対して、コイルバネ３４８をバネテンショナーポスト３６４とガイドピン３３６との間に位置させて、シューツリー２００を靴の中にいれない時に骨格部分２１８と２２０を一緒に保持する（図８では、コイルバネ３４８の一つだけを現し、それはバネテンショナーポスト３６４から分離しているように見える。）。バネテンショナーポスト３６４およびガイドピン３３６をＵＶ殺菌電球２０２のネジ切り基部２８０の外側に位置させる。ガイドピン３３６は、骨格部分２２０の側方変位を制限する。分割電球支持体２５４の半部品２５６を結合する円形リベット３７８の端を、スプレッドプレート３２０の後部にあるＵ字形金具３２６に位置したピン３５０と共に図７に示す。ピン３５０は、スパイン２０６が前部２０４に対して上方へ連接するのを可能にする回転軸を形成する。
【００２５】
シューツリー２００を靴に設置するためのスパイン２０６の長さの調整は、使用者がハンドル２１０をつかみ前部２０４を靴のトゥーボックスに設置することで達成される。次いで、使用者は踵部２０８を靴の踵に降ろしながら、踵部２０８へ圧力を与えてコイルバネ３２２を圧縮する。コイルバネ３２２の圧縮は、スパイン２０６を縮め、且つスプレッドプレート３２０を前方に押しつけ、これにより骨格部分２１８および２２０を分離し、またＵＶ光が漏れ出さないように靴内でのシューツリー２００のとまりばめを作り出す。
【００２６】
シューツリー２００を靴の内側に設置した後、電源オンボタン２１４の作動による電力供給コード２１２を介した電力の印加が、以下の一連のイベントを引き起こし、使用者の安全を保護する。光センサー２８４を用いて予備的な周辺光検査を開始して、光の漏出を検出することなくＵＶ源２０２が靴の中に収容されるのを確実にする。周辺光検査が陰性（即ち、感知できる光の漏出が検出されない）の場合、電子安全スイッチとして働くフォトインタラプタ３７０を用いた踵圧縮検査を開始して、シューツリー２００を靴の中に適切に位置させるのを確実にする。踵圧縮検査が陽性（即ち、不適切なシューツリーの設置が検出されない）の場合、マイクロコントローラ３１２がＵＶ光源２０２と連動して靴を約３０分間滅菌する。３０分の靴滅菌動作時間帯の間にシューツリー２００を靴から除去又は取り外した場合、安全スイッチ３７０がＵＶ光源２０２の動作を停止する。センサー２８４を用いた前部の周辺光検査は、３０分の動作時間帯の間動作しない。
【００２７】
シューツリーを使用しない代替的な実施態様は、それ自体商業的利用に役立ち、靴滅菌動作時間帯の間の紫外線の漏出を阻止することでＵＶ光が靴の近くに位置する個人に及ぶのを妨げる。この代替的な実施態様は、ＵＶ電球を靴へ挿入することと、靴を保護用「シャワーキャップ」で囲むこと、保護用バッグ中に靴を入れること或いは靴の開口を塞ぐことの何れかとを必要とする。
【００２８】
より具体的には、図９Ａは、シャワーキャップ型の格納装置３８２（イメージＡ２およびＡ３）中に靴３８０（イメージＡ１）を入れ、格納装置３８２の開口３８８を介して長い円筒型ハンドル３８６に取付けたＵＶ電球３８４（イメージＡ４）を靴３８０の内側へと挿入すること（イメージ５Ａ）を説明する一連のイメージを示す。格納装置３８２は、引きひも３９０を引き締めることで靴３８０の周りに固定する。図９Ｂは、靴３８０を閉じたバッグ３９２（イメージＢ１）中に入れることを説明する一連のイメージを示す。ハンドル３８６に取付けたＵＶ電球３８４をバック３９２の開口３９４（イメージＢ２）内で、且つ靴３８０の内側（イメージＢ３およびＢ４）に挿入する。バッグ３９２の開口側を閉める引きひも３９６を引き締めることでバッグ３９２を靴３８０の周りに固定する。
【００２９】
格納装置３８２およびバッグ３９２の双方は、ＵＶ光遮断材料からなる。ＵＶ電球３８４を保護用金属メッシュケージ３９８で囲んでも良い。
【００３０】
図９Ｃは、靴３８０の上部開口をキャップ４００で塞ぐ（イメージＣ１）ことによる靴３８０の全面格納装置の代替例を説明する一連のイメージを示す。キャップ４００は開口４０２を有し、ハンドル３８６に取付けたＵＶ電球３８４を挿通する（イメージＣ２）。ハンドル３８６からのＵＶ電球３８４およびケージ３９８の取り外しを実施して、開口４０２およびキャップ４００内の通過を可能にする（イメージ３Ｃ）。
【００３１】
本発明の基礎理念から逸脱することなく上記実施態様の細部に多くの変更をし得ることは、当業者にとって自明である。従って、本発明の範囲は以下の特許請求の範囲によってのみ決定されるべきである。
【図面の簡単な説明】
【００３２】
【図１】シューツリーの第一の好適な実施態様で、シューツリーの中空の前部を下から見て発光ダイオード（ＬＥＤ）の配置を示す等角投影図である。
【図２Ａ】紫外線殺菌電球を取付けたシューツリーの第二の好適な実施態様の底面等角投影図である。
【図２Ｂ】紫外線殺菌電球を取付けたシューツリーの第二の好適な実施態様の上面等角投影図である。
【図３Ａ】図２Ａおよび２Ｂに示すシューツリーの平面図である。
【図３Ｂ】図２Ａおよび２Ｂに示すシューツリーの左側面図である。
【図３Ｃ】図２Ａおよび２Ｂに示すシューツリーの右側面図である。
【図３Ｄ】図２Ａおよび２Ｂに示すシューツリーの背面図である。
【図３Ｅ】図２Ａおよび２Ｂに示すシューツリーの正面図である。
【図３Ｆ】図２Ａおよび２Ｂに示すシューツリーの正面斜視図である。
【図３Ｇ】図３Ａの３Ｇ−３Ｇ線に沿う断面図である。
【図４】図２Ａおよび２Ｂに示すシューツリーの分解図である。
【図５】図２Ａおよび２Ｂに示すシューツリーの踵部の拡大部分断面側面図である。
【図６】図２Ａおよび２Ｂに示すシューツリーの踵部にある安全連動スイッチの拡大部分等角投影図である。
【図７】図２Ａおよび２Ｂに示すシューツリーの中空の前部の拡大部分断面側面図である。
【図８】図２Ａおよび２Ｂに示すシューツリーの前部にある幅調整機構の拡大部分絵画図である。
【図９Ａ】靴に挿入した靴滅菌装置からの光の漏出を防止する安全格納装置の図である。
【図９Ｂ】靴に挿入した靴滅菌装置からの光の漏出を防止する安全格納装置の図である。
【図９Ｃ】靴に挿入した靴滅菌装置からの光の漏出を防止する安全格納装置の図である。
【図１】
2009529984.tif 000003
【図２Ａ】
2009529984.tif 000004
【図２Ｂ】
2009529984.tif 000005
【図３Ａ】
2009529984.tif 000006
【図３Ｂ】
2009529984.tif 000007
【図３Ｃ】
2009529984.tif 000008
【図３Ｄ】
2009529984.tif 000009
【図３Ｅ】
2009529984.tif 000010
【図３Ｆ】
2009529984.tif 000011
【図３Ｇ】
2009529984.tif 000012
【図４】
2009529984.tif 000013
【図５】
2009529984.tif 000014
【図６】
2009529984.tif 000015
【図７】
2009529984.tif 000016
【図８】
2009529984.tif 000017
【図９Ａ】
2009529984.tif 000018
【図９Ｂ】
2009529984.tif 000019
【図９Ｃ】
2009529984.tif 000020
【国際調査報告】
2009529984.tif 000021